(57)【要約】      （修正有）【課題】鞄の外側板の表面に擦り傷等を付けることがなく、目立って体裁が悪くなるようなことはなく、しかも安価に製造することができる小物吊り下げ具を提供する。【解決手段】鞄への固着部１と、なす環２の鞄への接触を防ぐための当板３と、なす環２の上部を回動自在に保持する保持部４とを一体に成形したものとし、当板３を、なす環２の１／２〜２／３の長さとし、このなす環２の最大幅とほぼ同一の最大幅にしたものとし、当板３の下端になす環２の裏面が接触したときに、このなす環２の下端１３が鞄の外表面から浮くようにしたものとしている。【選択図】図１
0003159639.tif 000002
【実用新案登録請求の範囲】
【請求項１】
鞄（Ｂ）への固着部（１）と、なす環（２）の鞄（Ｂ）への接触を防ぐための当板（３）と、なす環（２）の上部を回動自在に保持する保持部（４）とを一体に成形したものとし、前記当板（３）を、なす環（２）の１／２〜２／３の長さとし、このなす環（２）の最大幅とほぼ同一の最大幅にしたものとし、前記当板（３）の下端（３ａ）になす環（２）の裏面（１２）が接触したときに、このなす環（２）の下端（１３）が鞄（Ｂ）の外表面から浮くようにしたことを特徴とする小物吊り下げ具。
【請求項２】
前記当板（３）の最大幅を、なす環（２）の最大幅の±１ｍｍの範囲としたことを特徴とする請求項１記載の小物吊り下げ具。
【請求項３】
前記当板（３）を、略円形に形成したことを特徴とする請求項１または２記載の小物吊り下げ具。
【考案の詳細な説明】
【技術分野】
【０００１】
この考案は、ランドセルやリュックサック等の背負い鞄、学生鞄やビジネスバッグ等のショルダーバッグ、その他各種の鞄などに用いられる小物吊り下げ具に関するものである。
【背景技術】
【０００２】
従来、この種の小物吊り下げ具としては、例えば図６に示したように、当板２１の表面に反射シート２２を貼着し、その当板２１に、なす環２３を枢支重合してなるものが存在する。
【０００３】
前記当板２１は、主板２４に取付け片２５を延出すると共に、その取付け片２５の基端部分を裏面に開口する膨出部２６としている。前記なす環２３は、主枠２３ａに副枠２３ｂを連繋部２３ｃを介して連設し、その連繋部２３ｃに基端を回動自在に取り付けたばね材２８の遊端を、主枠２３ａに設けた鉤部２９の先端内面に圧接させ、副枠２３ｂを前記膨出部２６に回動自在に嵌合するようにしている（特許文献１）。
【０００４】
このように構成された従来の小物吊り下げ具は、なす環２３が回動または揺動したとしても、鞄の外側板３０の表面は、当板２１で保護されているから、擦り傷等が付くことがないとしている。さらに、なす環２３が回動または揺動するたびに、当板２１に貼着してある反射シート２２が見え隠れし、その反射具合を微妙に変えることになる。したがって、ドライバー等は鞄を背負っている児童等に気付き易く、交通事故から守ることができるとしている。
【先行技術文献】
【特許文献】
【０００５】
【特許文献１】実用新案登録第３０１７５３１号公報
【考案の概要】
【考案が解決しようとする課題】
【０００６】
しかしながら、上記従来の小物吊り下げ具では、当板２１をなす環２３の外形より大きく形成しているので、この当板２１が邪魔になったり、目立って体裁が悪くなるという課題を有していた。
【０００７】
さらに、上記従来の小物吊り下げ具では、当板２１を合成樹脂からなるものとしているが、当板２１の形状が大きいと、合成樹脂の使用量も多くなり、製品単価が高くなってしまうという課題を有していた。
【０００８】
そこで、この考案は、当板を小さくすると共にその形状を工夫することにより、鞄の外側板の表面に擦り傷等を付けることがないのは勿論、目立って体裁が悪くなるようなことはなく、しかも安価に製造することができる小物吊り下げ具を提供することを目的としてなされたものである。
【課題を解決するための手段】
【０００９】
そのため、この考案の小物吊り下げ具は、鞄Ｂへの固着部１と、なす環２の鞄Ｂへの接触を防ぐための当板３と、なす環２の上部を回動自在に保持する保持部４とを一体に成形したものとし、前記当板３を、なす環２の１／２〜２／３の長さとし、このなす環２の最大幅とほぼ同一の最大幅にしたものとし、前記当板３の下端３ａになす環２の裏面１２が接触したときに、このなす環２の下端１３が鞄Ｂの外表面から浮くようにしたものとしている。
【００１０】
そして、この考案の小物吊り下げ具は、前記当板３の最大幅を、なす環２の最大幅の±１ｍｍの範囲としたものとしている。
【００１１】
さらに、この考案の小物吊り下げ具は、前記当板３を、略円形に形成したものとしている。
【考案の効果】
【００１２】
この考案の小物吊り下げ具は、以上に述べたように構成されているので、鞄の外表面に擦り傷等を付けることがないと共に、目立って体裁が悪くなるようなことはなく、しかも安価に製造することができるものとなった。
【図面の簡単な説明】
【００１３】
【図１】この考案の小物吊り下げ具の第一実施形態を示す斜視図である。
【図２】図１に示すこの考案の小物吊り下げ具の縦断面図である。
【図３】図１に示すこの考案の小物吊り下げ具の分解斜視図である。
【図４】この考案の小物吊り下げ具をランドセルのマチ部に取り付けた状態を示す説明図である。
【図５】図４に示す状態のこの考案の小物吊り下げ具の拡大図である。
【図６】従来の小物吊り下げ具の一例を示す斜視図である。
【考案を実施するための形態】
【００１４】
以下、この考案の小物吊り下げ具を実施するための形態を、図面に基づいて詳細に説明する。
【００１５】
図１に示すように、この考案の小物吊り下げ具は、合成樹脂の成形品よりなり、ランドセルなどの鞄Ｂへの固着部１と、なす環２の鞄Ｂへの接触を防ぐための当板３と、なす環２の上部を回動自在に保持する保持部４とを一体に成形したものとしている。
【００１６】
固着部１は、断面形状を略コ字状とした表当板１ａと、前記当板３の上部に突設した裏当板１ｂで囲まれた部分に空間Ｓを形成している。そして、この空間Ｓにランドセルなどの鞄Ｂのマチ部５に設けたマチベルト５ａを挿入し、表当板１ａに設けたリベット孔６から裏当板１ｂに設けたリベット孔７にリベットＲを貫通させて、このマチベルト５ａをリベット止めして、固着するようにしている。
【００１７】
なす環２は、金属ダイカスト品としており、横長の丸形状とした上リング体２ａと縦長の丸形状とした下リング体２ｂとを連結したものとし、その連結部に突起８を設け、この突起８と対向する位置の下リング体２ｂの下部に鉤部９を設けている。そして、前記突起８に、縦長の長方形枠としたばね材１０の基端を回動自在に取り付け、このばね材１０の先端を前記鉤部９の先端内面に圧接するようにしている。さらに、前記下リング体２ｂには、この下リング体２ｂを左右に二等分するように補強枠１１を設けたものとしている。
【００１８】
当板３は、なす環２の１／２〜２／３の長さとし、このなす環２の最大幅とほぼ同一の最大幅とした略円形に形成したものとしている。そして、この当板３の下端３ａになす環２の裏面１２が接触したときに、このなす環２の下端１３が鞄Ｂのマチ部５などの外表面から浮くように（外表面と接触しないように）したものとしている。なお、前記なす環２の最大幅とほぼ同一の最大幅とは、なす環２の最大幅の±２〜３ｍｍの範囲の幅をいうが、なす環２の最大幅の±１ｍｍの範囲の幅とするのが好ましい。実施形態として図示したなす環２は、長さを３５ｍｍ、最大幅を２０ｍｍとしたので、当板３は、長さを２４ｍｍ、最大幅を２４ｍｍとしている。前記当板３は、図示したものでは、略円形に形成したものとしており、角がまったくなく安全なものとすると共に、合成樹脂の使用量を効果的に少なくしたものとしているが、なす環２の１／２〜２／３の長さとし、このなす環２の最大幅とほぼ同一の最大幅としたものであれば、四角形、角を落とした四角形、略楕円などの任意形状にすることができる。なお、前記当板３の表面には、格子模様、縞模様、格子縞模様、凹凸模様など、各種の模様Ｐを施したものとすることができる。
【００１９】
保持部４は、鉤状に曲げ加工して弾性を有するものとしており、取付空間４ａを設けると共に、当接板３側に開口４ｂを設け、当接板３との間には、なす環２の上リング体２ａを通すための隙間１４を形成している。この隙間１４は、上リング体２ａの厚さより狭くしたものとしている。
【００２０】
このように構成されたこの考案の小物吊り下げ具は、ランドセルなどの鞄Ｂのマチ部５に取り付けられ、次のようにして使用される。
【００２１】
この考案の小物吊り下げ具をランドセルなどの鞄Ｂのマチ部５に取り付けるには、図に示すように、固着部１の空間Ｓに、前記鞄Ｂのマチ部５に取り付けられているマチベルト５ａを挿入し、前記したように表当板１ａに設けたリベット孔６から裏当板１ｂに設けたリベット孔７にリベットＲを貫通させて、このマチベルト５ａをリベット止めして固着する。
【００２２】
さらに、前記小物吊り下げ具になす環２を取り付けるには、なす環２の上リング体２ａを保持部４の隙間１４から押し込んで、さらに開口４ｂに通せば、この保持部４の取付空間４ａになす環２の上リング体２ａが入り込む。
【００２３】
したがって、この考案の小物吊り下げ具では、学童等の使用者がなす環２に給食袋などの小物を吊り下げて、歩いたり走ったりした場合に、なす環２が回動または揺動すると、なす環２の裏面１２が当板３の下端３ａに接触するが、このなす環２の下端１３が鞄Ｂのマチ部５などの外表面に接触しないので、その外表面には擦り傷等が付くことがない。
【００２４】
さらに、この考案の小物吊り下げ具では、前記当板３を、なす環２の１／２〜２／３の長さとし、このなす環２の最大幅とほぼ同一の最大幅としたものとしているので、当板３が殆どなす環２に隠れてしまい、目立って体裁が悪くなるようなことはない。
【００２５】
また、この考案の小物吊り下げ具では、固着部１と当板３と保持部４とを合成樹脂で一体に成形したものとしており、合成樹脂の使用量も従来のものより少ないので、安価に製造することができる。
【符号の説明】
【００２６】
１  固着部
２  なす環
３  当板
３ａ  下端
４  保持部
１２  裏面
１３  下端
Ｂ  鞄
【図１】
0003159639.tif 000003
【図２】
0003159639.tif 000004
【図３】
0003159639.tif 000005
【図４】
0003159639.tif 000006
【図５】
0003159639.tif 000007
【図６】
0003159639.tif 000008